(57)【要約】【課題】指針キャップと表示板との間隙からの光漏れを低減する指針照明装置を提供する。【解決手段】回転中心領域Ｒに受光部（光導入部）１３を有する透光性の指針本体１０と回転中心領域Ｒを覆う指針キャップ１１とを備える指針１と、この指針１の背後に所定距離を隔てて配置され指針１の回転中心領域Ｒに対応する部分に透光部２１を有する表示板２と、この表示板２の背後に配置され透光部２１を通じて指針１の光導入部１３に光を供給することにより指針１を光輝させる光源４ｂと、指針１と表示板２との間に位置して表示板１側に固定され隙間Ｓから外部に漏れる光を遮光する遮光部材８とを備え、遮光部材８が回転中心Ｌを取り巻いて指針１の背後に延びる第１，第２の周壁部８３，８４を有する。【選択図】図２
2005156454.tif 000002
【特許請求の範囲】
【請求項１】
回転中心領域に光導入部を有する透光性の指針本体と前記回転中心領域を覆う指針キャップとを備える指針と、
この指針の背後に所定距離を隔てて配置され前記指針に対応する部分に透光部を有する表示板と、
この表示板の背後に配置され前記表示板の透光部を通じて前記指針の光導入部に光を供給することにより前記指針を光輝させる光源と、
前記指針と前記表示板の間に位置して前記表示板側に固定され前記指針キャップと前記表示板との隙間から外部に漏れる光を遮光する遮光部材とを備え、
前記遮光部材が前記回転中心を取り巻いて前記指針の背後に延びる第１，第２の周壁部を有し、これら第１，第２の周壁部が空間部を隔てて互いに離間することを特徴とする指針照明装置。
【請求項２】
前記第１の周壁部及び前記第２の周壁部の前記指針側端部と、前記指針キャップの前記表示板側端部とが前記回転中心を軸とした放射方向に重なることを特徴とする請求項１記載の指針照明装置。
【発明の詳細な説明】
【技術分野】
【０００１】
本発明は、例えば車両用計器に採用される指針照明装置に関し、特に指針キャップと表示板との間隙から表示板上に光が漏洩することを防止する遮光部材を採用した指針照明装置に関するものである。
【背景技術】
【０００２】
従来より表示板上で回転する指針を透光材から形成して光導入部を設けるとともに表示板の背後に導光板を配置し、この導光板より導いた白熱電球などの光源からの光を表示板の貫通孔（透光部）通じて指針の光導入部に供給し、指針自体を光輝させる指針照明装置がよく知られている。
【０００３】
この種の指針照明装置にあっては、指針の光導入部を含む回転中心領域の前方及びその周囲は通常、遮光性部材からなる指針キャップにて覆われるので、この部分からの光洩れは抑えられるが、指針キャップと表示板との間隙から光洩れが発生することがある。
【０００４】
そこで、例えば下記特許文献１では、表示板に装着するカラー部材に、指針底部側に延長する円筒状の遮光壁部を設け、この遮光壁部の先端側と指針キャップの端部とを放射方向にラップさせることにより迷路状の通路を形成し、指針キャップと表示板との間隙からの光洩れを抑制している。
【特許文献１】特開平９−４３００２号公報
【発明の開示】
【発明が解決しようとする課題】
【０００５】
しかしながら、前記公報記載の指針照明装置では、遮光壁部とと指針キャップとを所定の間隔を空けて放射方向にラップさせるだけの構造であるため、指針底部にて反射した光が遮光壁部と指針底部との間に存在する隙間、遮光壁部と指針キャップとの間に存在する隙間、指針キャップと表示板との間に存在する隙間を通って外側に洩れやすく、この点で改良が望まれていた。
【０００６】
本発明は、この点に鑑みてなされたもので、その主な目的は、指針キャップと表示板との間隙からの光漏れを低減し照明品質を高めることが可能な指針照明装置を提供するものである。
【課題を解決するための手段】
【０００７】
本発明は、前記目的を達成するため、回転中心領域に光導入部を有する透光性の指針本体と前記回転中心領域を覆う指針キャップとを備える指針と、この指針の背後に所定距離を隔てて配置され前記指針に対応する部分に透光部を有する表示板と、この表示板の背後に配置され前記表示板の透光部を通じて前記指針の光導入部に光を供給することにより前記指針を光輝させる光源と、前記指針と前記表示板の間に位置して前記表示板側に固定され前記指針キャップと前記表示板との隙間から外部に漏れる光を遮光する遮光部材とを備え、前記遮光部材が前記回転中心を取り巻いて前記指針の背後に延びる第１，第２の周壁部を有し、これら第１，第２の周壁部が空間部を隔てて互いに離間することを特徴とする。
【０００８】
また本発明は、前記第１の周壁部及び前記第２の周壁部の前記指針側端部と、前記指針キャップの前記表示板側端部とが前記回転中心を軸とした放射方向に重なることを特徴とする。
【発明の効果】
【０００９】
本発明によれば、指針キャップと表示板との間隙からの光漏れを低減し、照明品質を高めることが可能な指針照明装置を提供することができる。
【発明を実施するための最良の形態】
【００１０】
以下、本発明の第１の実施形態を図１から図３を用いて説明するが、図は本発明による指針照明装置を指針式メータに適用したものである。なお図１は本実施形態による指針式メータの断面図、図２は図１の要部を拡大して示す断面図、図３は同実施形態に採用される遮光部材の斜視図であって一部を断面で示す図である。
【００１１】
本実施形態による指針式メータ装置は、図１，図２に示すように、指針１と、この指針１の背後に所定距離を有して配置される表示板２と、この表示板２の背後に配置されるフレーム３と、このフレーム３の反射部３ａ内に配置される光源４ａと、同じくフレーム３に形成した筒状部３ｂ内に配置される光源４ｂと、この光源４ｂと指針１との間に配置される筒状の導光部材５と、光源４ａ，４ｂを備えフレーム３の背後に配置される硬質の回路基板６と、この回路基板６の背後に配置される計器本体７と、指針１と表示板２との間に配置される遮光部材８とから構成され、計器本体７から回路基板６，フレーム３，表示板２を介して伸長する指針軸９に指針１を連結固定し、指針軸９の回転中心Ｌを軸とした軸回り回転により、表示板２に形成された文字，数字，目盛等の図示しない表示意匠部を指針１にて指示するとともに、光源４ｂの点灯により放射された光を導光部材５を介して指針１に導くことで指針１を照明できるようになっている。また、光源４ａの点灯により、表示板２の前記表示意匠部を照明できるようになっている。
【００１２】
指針１は、ポリカーボネート，アクリルなどの合成樹脂からなる透光性の指針本体１０と、この指針本体１０の回転中心領域Ｒの前方及びその周囲を覆って背後が開口する、黒色系の遮光性合成樹脂からなる指針キャップ１１と、指針本体１０の回転中心領域Ｒの背後に固定され、黒色系の遮光性合成樹脂からなる円盤形の被覆部材１２とからなる。
【００１３】
指針本体１０は、その回転中心領域Ｒに、光源４の光を内部に採り入れる受光部（光導入部）１３と、この受光部１３より採り入れた光を先端側に反射する指針反射部１４とを備えている。
【００１４】
被覆部材１２は、例えば遮光性を有する黒色の合成樹脂材料からなり、指針本体１０を載置する円盤部１５と、指針軸８に連結されるボス部１５ａとを有しており、この被覆部材１２を介して指針本体１０（指針１）が指針軸３に連結固定される。なお円盤部１５は、受光部１３を露出させる貫通孔１５ｂが形成されている。また円盤部１５の外径は、指針キャップ１１中程の内径に合致するように形成されている。
【００１５】
表示板２は、透明な合成樹脂パネルからなる基材の表面に、所定色からなり目盛，文字，マーク等を形成する透光性の着色印刷層とこの着色印刷層の周囲を囲むように目盛，文字，マーク等の背景となる地色印刷層とを備え（図示しない）、前記地色印刷層は、本実施例では白色系の着色インクを用いて形成されている。また表示板２は指針軸９及び指針本体１の受光部１３に対応する領域に貫通孔状の透光部２１を備えている。
【００１６】
フレーム３は、白色の遮光性の合成樹脂からなり、表示板２を照明する光源４ａを収納する表示板照明室３１と指針１を照明する光源４ｂを収納する指針照明室３２とを備えている。表示板照明室３１と指針照明室３２とは本実施例では、筒状部３ｂにより仕切られている。この筒状部３ｂは、光源４ａからの光を拡散させ、表示板２裏面に向けて照射する反射部３ａと共にフレーム３に一体に形成されている。反射部３ａは光源４ａからの照射光を反射して表示板２を透過照明するように構成している。光源４ｂから照射される光は、指針照明室３２内に固定された導光部材５を介して指針１側に導かれ、その前面側端部から受光部１３に向けて放射される。受光部１３に入射した光は回転中心領域Ｒに形成される指針反射部１４によって回転中心領域Ｒから指針本体１０の先端側に向けて導光され指針本体１０が照明される。
【００１７】
このように構成することにより、遮光壁部３ｂによって表示板照明室３１と指針照明室３２とが区画形成され、各照明室はそれぞれ異なる光源４ａ，４ｂにより照明される。よって、指針１は専用に設けられた光源４ｂによって照明されるので、従来と比較して指針１を明るく照明することができる。また、導光体を用いることなく指針照明や表示板照明が可能であるので、部品費などの製造コストを抑えることができる。
【００１８】
遮光部材８は、例えば遮光性を有する黒色の合成樹脂材料からなり、図３にも示すように、表示板２上に載置され、この部分と筒状部３ｂ先端部との間で表示板２を保持するベース部８１と、このベース部８１の内端から部分的（本例では２箇所）に導光部材５側へ延び、導光部材５の外周に形成した爪部６１に係合する係合部８２と、ベース部８１の内端から連続的に指針１の背後側に延び、回転中心Ｌを取り巻く円筒状の第１の周壁部８３と、ベース部８１の外端から第１の周壁部８３と同様、指針１の背後側に延び、回転中心Ｌを取り巻く円筒状の第２の周壁部８４とを備え、これら第１，第２の周壁部８３，８４は、空間部８５を隔てて離間している。
【００１９】
これら第１，第２の周壁部８３，８４は、指針キャップ１１の開口端部（表示板側端部）１１ａを超えて指針１側に延びており、導光部材５を通じて指針１側に放射された光が指針キャップ１１と表示板２との隙間Ｓから外部に漏れるのを抑制している。この場合、特に内側に位置し導光部材５に接する第１の周壁部８３は、主として導光部材５から放射される直射光が外側に向かうのをブロックする機能を有し、外側に位置し隙間Ｓに接する第２の周壁部８４は、主として被覆部材１２の底面で反射した反射光が隙間Ｓに向かうのをブロックする機能を有している。
【００２０】
なお、本実施形態では、第１，第２の周壁部８３，８４の延長高さを同じに設定したが、異ならせても良い。また本実施形態では、周壁部８３，８４を２つ形成したが、２つ以上であっても良い。さらに本実施形態では、各周壁部８３，８４を回転中心Ｌを閉塞的に包囲する円筒状に形成したが、部分的に破断するようにしても良い。
【００２１】
以上のように、本実施形態では、回転中心領域Ｒに受光部（光導入部）１３を有する透光性の指針本体１０と回転中心領域Ｒを覆う指針キャップ１１とを備える指針１と、この指針１の背後に所定距離を隔てて配置され指針１の回転中心領域Ｒに対応する部分に透光部２１を有する表示板２と、この表示板２の背後に配置され透光部２１を通じて指針１の光導入部１３に光を供給することにより指針１を光輝させる光源４ｂと、指針１と表示板２との間に位置して表示板１側に固定され隙間Ｓから外部に漏れる光を遮光する遮光部材８とを備え、遮光部材８が回転中心Ｌを取り巻いて指針１の背後に延びる第１，第２の周壁部８３，８４を有し、これら第１，第２の周壁部８３，８４を空間部を隔てて互いに離間する多重壁構造となすことにより、指針キャップ１１と表示板２との隙間Ｓからの光漏れを効果的に低減し、照明品質を高めることができる。
【００２２】
また本実施形態では、第１の周壁部８３及び第２の周壁部８４の指針側端部と、指針キャップ１１の開口端部（表示板側端部）とが回転中心Ｌを軸とした放射方向に重なるように構成したことにより、隙間Ｓからの光漏れをより効果的に低減することができる。
【００２３】
なお本実施形態では、指針本体１０に被覆部材１２を装着したが、被覆部材１２は廃止しても良い。
【００２４】
また本実施形態では、遮光部材８を導光部材５に係合固定する例を示したが、遮光部材８の固定対象やその方法は任意であり、係合部８２は廃止しても良い。
【００２５】
また本実施形態のごとき指針照明装置は、特に表示板として光反射率の高い表示板、例えば白色系または透明な地部を有する表示板に適用した際に特に有効である。
【００２６】
図４は本発明の第２の実施形態を示すものであり、本実施形態では、被覆部材１２の底部より、回転中心Ｌを取り巻く筒状の遮光壁１５ｃを設け、この遮光壁１５ｃを第１，第２の周壁部８３，８４との間（空間部）に介在させ、また第２の周壁部８４の外壁面と指針キャップ１１の側方外壁面とが略同一平面となるように構成している。
【００２７】
このように構成した本実施形態によっても、前記第１の実施形態と同様の効果を期待できる。
【図面の簡単な説明】
【００２８】
【図１】本発明の第１の実施形態を示す断面図である。
【図２】図１の要部を拡大して示す断面図である。
【図３】同実施形態に採用される遮光部材の斜視図であって一部を断面で示す図。
【図４】本発明の第２の実施形態を示す断面図である。
【符号の説明】
【００２９】
１    指針
２    表示板
３  フレーム
３ａ  反射部
３ｂ  筒状部
４ａ，４ｂ  光源
５  導光部材
６  回路基板
７  計器本体
８  遮光部材
９  指針軸
１０  指針本体
１１  指針キャップ
１１ａ  開口端部（表示板側端部）
１２  被覆部材
１３  光導入部（受光部）
１４  指針反射部
１５  円盤部
１５ａ  ボス部
１５ｂ  貫通孔
１５ｃ  遮光壁
２１  透光部
３１  表示板照明室
３２  指針照明室
５１  爪部
８１  ベース部
８２  係合部
８３  第１の周壁部
８４  第２の周壁部
８５  空間部
Ｌ  回転中心
Ｒ  回転中心領域
Ｓ  隙間
【図１】
2005156454.tif 000003
【図２】
2005156454.tif 000004
【図３】
2005156454.tif 000005
【図４】
2005156454.tif 000006